(57)【要約】      （修正有）【課題】外反母趾の進行を防止し、矯正するためのベルト付き履物を提供する。【解決手段】履物を足に固定するベルト固定部材Ｋ1〜Ｋ５を備えたベルト付き履物であって、ベルト固定部材Ｋ1〜Ｋ５は、履物の本底Ｐ９と該本底Ｐ９に積層される部材との間に取付けられる扁平なシート部と、シート部に一端が固定され、他端がシート部の縁と前記本底に積層される部材の縁から外側に飛び出すベルトＢ４〜Ｂ１１を備えていて、足の甲を固定する左右一対の前側ベルトＢ４、Ｂ５と、足首を固定する左右一対の後側ベルトＢ６〜Ｂ９とを備えている。【選択図】図１８
0003223237.tif 000002
【実用新案登録請求の範囲】
【請求項１】
履物を足に固定するベルト固定部材であって前記履物の本底と該本底に積層される部材との間に取付けられる扁平なシート部と、前記シート部に一端が固定され、他端が前記シート部の縁と前記本底に積層される部材の縁から外側に飛び出すベルトを備えたベルト固定部材。
【請求項２】
前記ベルト固定部材が足の形状に合わせて前記本底に取付け可能である請求項１に記載のベルト固定部材。
【請求項３】
請求項１又は２に記載のベルト固定部材を備えたベルト付き履物であって、足の甲を固定する左右一対の前側ベルトと、足首を固定する左右一対の後側ベルトとを備えたベルト付き履物。
【請求項４】
前記前側ベルトが長さ調整可能な締付けベルトであり、前記後側ベルトが足首を前後から締付ける前後一対の締付けベルトである請求項３に記載のベルト付き履物。
【請求項５】
請求項１又は２に記載のベルト固定部材を備えたベルト付き履物であって、足の甲を固定する左右一対のベルトが足の甲の前後方向に所定距離だけ離れて配置されているベルト付き履物。
【請求項６】
前記本底の上面には、中敷きが積層されている請求項３〜５のいずれかに記載のベルト付き履物。
【請求項７】
前記本底と前記中敷きとの間にはクッション材が積層されている請求項６に記載のベルト付き履物。
【考案の詳細な説明】
【技術分野】
【０００１】
本考案はベルト付き履物及びベルト固定部材に関するものである。
【背景技術】
【０００２】
外反母趾の進行を防止し、矯正するための履物として特許文献１又は２のような履物が知られている。
【先行技術文献】
【特許文献】
【０００３】
【特許文献１】特開２００６−１８７５４５号  公報
【特許文献２】特開２００６−４３３７６号  公報
【考案の概要】
【考案が解決しようとする課題】
【０００４】
特許文献１の履物の特徴は、ＭＴＰ関節周辺の広い範囲を適度に締付けつつ、第１趾のみを個別に矯正することができる。これの問題点は既製品なので個人の足に合わないことがある。特許文献２の履物の特徴は、上紐と接地板が交換できる履物であり、第１趾と第２趾の指股部に外反母趾矯正板を取付けることができる。これの問題点は、ＭＴＰ関節を締付けることはできない。また第１趾を外反母趾の逆方向へ引っ張り矯正する効果はない。このようにこれまでは、個人の足の指と骨の位置を採寸したうえで、正確に第１趾を外反母趾と逆方向に反らし、ＭＴＰ関節を締付ける履物はなかった。
【課題を解決するための手段】
【０００５】
本考案のベルト固定部材は、履物を足に固定するベルト固定部材であって前記履物の本底と該本底に積層される部材との間に取付けられる扁平なシート部と、前記シート部に一端が固定され、他端が前記シート部の縁と前記本底に積層される部材の縁から外側に飛び出すベルトを備えている。
【０００６】
また本考案のベルト固定部材は、前記ベルト固定部材が足の形状に合わせて前記本底に取付け可能である。
【０００７】
本考案のベルト付き履物は、上記のベルト固定部材を備えたベルト付き履物であって、足の甲を固定する左右一対の前側ベルトと、足首を固定する左右一対の後側ベルトとを備えている。
【０００８】
また本考案のベルト付き履物は、前記前側ベルトが長さ調整可能な締付けベルトであり、前記後側ベルトが足首を前後から締付ける前後一対の締付けベルトである。
【０００９】
また本考案のベルト付き履物は、上記のベルト固定部材を備えたベルト付き履物であって、足の甲を固定する左右一対のベルトが足の甲の前後方向に所定距離だけ離れて配置されている。
【００１０】
また本考案のベルト付き履物は、前記本底の上面には、中敷きが積層されている。
【００１１】
また本考案のベルト付き履物は、前記本底と前記中敷きとの間にはクッション材が積層されている。
【考案の効果】
【００１２】
ベルト固定部材を使うことで、外反母趾になられた個人ごとの足に合わせて履物を製作し、適切に矯正することができる。さらに履き心地が悪ければ第１趾とＭＴＰ関節の締付け加減は、マジックテープ（登録商標）により調整することができる。また甲高、甲低、幅広、幅狭、左右の足長差などにより、既成靴が合わない方の足に合わせて履物を製作することができる。
【図面の簡単な説明】
【００１３】
【図１】ベルト付き履物の完成図
【図２】足の外周の採寸方法説明図
【図３】足首ベルト固定部材位置の採寸方法説明図
【図４】第１趾付け根骨位置の採寸方法説明図
【図５】第５趾付け根骨位置の採寸方法説明図
【図６】第１趾と第２趾の指股部位置の採寸方法説明図
【図７】足採寸型紙の説明図
【図８】足採寸型紙の余白部裁断説明図
【図９】足採寸型紙の完成図
【図１０】固定シートの説明図
【図１１】甲前第１趾ベルト固定部材説明図
【図１２】甲前第５趾ベルト固定部材説明図
【図１３】足首第１趾ベルト固定部材説明図
【図１４】足首第５趾ベルト固定部材説明図
【図１５】第１趾矯正ベルト固定部材説明図
【図１６】本底の加工方法説明図
【図１７】本底の完成図
【図１８】ベルト付き履物の組立説明図
【図１９】ベルトを２本使ったベルト付き履物の完成図
【図２０】バックルを使ったベルト付き履物の完成図
【図２１】手縫いベルト固定部材説明図
【図２２】手縫いベルトを使ったベルト付き履物の組立説明図
【図２３】手縫いベルトを使ったベルト付き履物の完成図
【図２４】クッション機能付き本底の組立説明図
【図２５】外反母趾説明図
【図２６】外反母趾矯正後説明図
【考案を実施するための形態】
【００１４】
本考案の実施の形態を図１〜図２６を参照し説明する。まず図２５〜図２６で外反母趾を矯正する方法を説明し、次に図１でベルト付き履物の完成図を説明した後、本履物は足の外周に合わせて製作するので、その際使用する足採寸型紙の製作方法を図２〜図９で説明し、その後図１０〜図１５でベルト固定部材の構造と製作方法を説明し、図１６〜図１８でベルト固定部材を用いて、第１趾の矯正とＭＴＰ関節を締付けることができるベルト付き履物の製作方法を説明し、履物の応用例を図１９〜図２４で説明する。
【実施例１】
【００１５】
先ず本考案のベルト付き履物は、外反母趾を矯正するものなので図２５〜図２６を参照し、外反母趾と矯正方法の説明をする。外反母趾とは、図２５のように足の変形のことで、足の第１趾の付け根の関節が、第２趾の方に「くの字」に曲がり、骨が飛び出したようになったものである。この症状はそのままにしておくと悪化することがあり、防止策としてＭＴＰ関節Ｇ４と呼ばれる第１趾付け根骨Ｇ１と第５趾付け根骨Ｇ２を締付けるようにして押さえ、かつ第１趾を第１趾引っ張り方向Ｇ３の方向へ引っ張り曲げるという方法がある。矯正すると図２６のように「くの字」に飛び出した骨が改善し、曲がっていた第１趾がまっすぐになる。本考案のベルト固定部材を使えば、足の骨格に合わせて履物が作れるので、外反母趾の方の足に合わせた履物を製作することができる。
【００１６】
次に図１の完成図と図１８の組立図を参照し、本考案のベルト付き履物Ｈ１の構造と製作方法を説明する。先ず足を乗せるための底材Ｐ１７は、図１８のように本底Ｐ９の上面に、各種ベルト固定部材Ｋ１〜Ｋ５のベルト部分を縁から外側に飛び出すように貼付け、その上面にクッション材Ｐ１２と中敷きＰ１１を積層して貼付けられている。その上面に足を乗せ、各種ベルトＢ１〜Ｂ３により足を固定すると、図１のような形態になる。
【００１７】
次にクッション材Ｐ１２と中敷きＰ１１について説明をする。クッション材Ｐ１２は足にかかる衝撃を吸収するためのものであり、またベルト固定部材の凹凸が足裏に影響しない様にするためのものである。材質は発砲素材やＥＶＡ素材、同等の素材でできている。中敷きＰ１１の素材は、足裏に接するのでいくつかの条件がある。汗を吸うこと、肌触りが良いこと、滑らないこと、汚れが目立ちにくいこと等が考えられる。また外観から見えるのでデザインに合っていることも大事である。こうした条件に適する素材の１つに革がある。また布地や合皮或いは、消臭、抗菌仕上げされたものやクッション性と中敷きの両方の機能を満たした専用の市販品を使うこともできる。
【００１８】
次に各種ベルトＢ１〜Ｂ３について説明をする。図１の左右一対の甲前ベルトＢ１は、第１趾付け根骨Ｇ１と第５趾付け根骨Ｇ２の位置に合わせて取付けられており、この２つの骨を締付けることで、外反母趾により「くの字」に飛び出した骨を矯正することができる。甲前ベルトＢ１の構造は、図１８のように甲前第１趾ベルト固定部材Ｋ１と甲前第５趾ベルト固定部材Ｋ２からなる。甲前第１趾ベルト固定部材Ｋ１には甲前第１趾ベルトＢ４が備えられ、甲前第１趾ベルトＢ４には角カンＰ４が備えられている。甲前第５趾ベルト固定部材Ｋ２には甲前第５趾ベルトＢ５が備えられている。使い方は図１のように底材Ｐ１７の上面に足を置いて、甲前第１趾ベルトＢ４に取付けられている角カンＰ４に甲前第５趾ベルトＢ５を通して、２つに折り返すと長さ調整可能な締付けベルトとなりマジックテープＰ１で固定する。
【００１９】
次に図１の左右一対の足首ベルトＢ２について説明する。このベルトは足首を１周するようにして、足首に固定している。足首をしっかりと固定することで、足と履物がずれることがなくなり快適に歩行ができる。足首ベルトＢ２の構造は、図１８のように足首第１趾ベルト固定部材Ｋ３と足首第５趾ベルト固定部材Ｋ４からなる。足首第１趾ベルト固定部材Ｋ３には足首第１趾ベルトＢ６が備えられ、足首第１趾ベルトＢ６には足首第１趾３角カンＰ５が備えられている。足首第５趾ベルト固定部材Ｋ４には足首第５趾ベルトＢ７が備えられ、足首第５趾ベルトＢ７には足首第５趾３角カンＰ６が備えられている。足首第５趾３角カンＰ６には、足首を前後から締付ける前後一対の締付けベルトである、足首前ベルトＢ９と足首後ベルトＢ８が備えられている。使い方は図１のように底材Ｐ１７の上面に足を置いて、足首第１趾ベルトＢ６に取付けられている、足首第１趾３角カンＰ５に足首前ベルトＢ９と足首後ベルトＢ８を通して、２つに折り返すと長さ調整可能な締付けベルトとなりマジックテープＰ１で固定する。
【００２０】
次に図１の第１趾矯正ベルトＢ３について説明する。このベルトは外反母趾により曲がった第１趾に巻付け固定し、第２趾と逆方向に引っ張ることで、第１趾をまっすぐに矯正するためのベルトである。第１趾矯正ベルトＢ３の構造は図１８のように、第１趾矯正ベルト固定部材Ｋ５に、第１趾外ベルトＢ１０と第１趾内ベルトＢ１１の２つのベルトが備えられている。使い方は図１のように、底材Ｐ１７の上面に足を置いて、第１趾に第１趾外ベルトＢ１０と第１趾内ベルトＢ１１を巻付けると、長さ調整可能な締付けベルトとなりマジックテープＰ１で固定する。
【００２１】
次に本考案のベルト付き履物は、個人の足に合わせて製作するので、足を採寸し型紙を作る方法を図２〜図９を参照し説明する。図２のように紙Ｓ１の上面に足を置き、足の外周を鉛筆でなぞることで足の外周線Ｓ２のように線ができる。次に図１８の足首第１趾ベルト固定部材Ｋ３及び足首第５趾ベルト固定部材Ｋ４を、本底Ｐ９に貼付ける位置を採寸するため、図３のように踝Ｓ３の真下より１ｃｍ〜５ｃｍ爪先方向に足首ベルト位置印Ｓ４の印をつける。このとき１ｃｍ〜５ｃｍと寸法に幅があるのは、足の骨格や肉の付き方によって個人差があるためである。
【００２２】
次に図１８の甲前第１趾ベルト固定部材Ｋ１の貼付け位置を採寸するため、図４のように第１趾付け根骨Ｇ１の位置に鉛筆で印をつける。次に図１８の甲前第５趾ベルト固定部材Ｋ２の貼付け位置を採寸するため、図５のように第５趾付け根骨Ｇ２の位置に鉛筆で印をつける。次に図１８の第１趾矯正ベルト固定部材Ｋ５の貼付け位置を採寸するため、図６のように第１趾と第２趾の指股部Ｓ５に鉛筆を差し込んで印をつける。
このようにすると図７のように、足の外周線Ｓ２とベルト固定部材貼付け位置印Ｓ６が採寸できるので、図８のように型紙余白部Ｓ７をカッターで切り抜くと、図９のように足採寸型紙Ｓ８が完成する。
【００２３】
次に図１で示したベルト付き履物Ｈ１の上面に取付けられている、各種ベルトＢ１〜Ｂ３を取付けるためのベルト固定部材の構造と製作方法を、図１０〜図１５を参照し説明する。先ず図１０の固定シートＰ２の裏面には、枡目状に線が記入されている。この枡目状の線を目印にして各種ベルトを縫付ける。枡目に合わせてベルトを縫付ける理由は、枡目に合わせて固定シートＰ２の中心よりずらすことで、接着面積を大きくして剥がれにくくするためである。図１８のように甲前第１趾ベルト固定部材Ｋ１、甲前第５趾ベルト固定部材Ｋ２は、本底Ｐ９との接着面積を爪先方向に大きくしている。足首第１趾ベルト固定部材Ｋ３、足首第５趾ベルト固定部材Ｋ４、第１趾矯正ベルト固定部材Ｋ５は、本底Ｐ９との接着面積を踵方向に大きくしている。固定シートＰ２は製作コストを低くするため、同じサイズのものを使い、枡目状に線を引いて使い分けている。
【００２４】
次にベルト固定部材の種類は５種類あるので、それぞれの構造を図１１〜図１５を参照し説明する。図１１の甲前第１趾ベルト固定部材Ｋ１は、甲前第１趾ベルトＢ４を角カンＰ４に通し環状にして、固定シートＰ２の枡目に合わせて縫付け部Ｐ３にミシンで縫付けてある。図１２の甲前第５趾ベルト固定部材Ｋ２は、マジックテープＰ１が縫付けられた甲前第５趾ベルトＢ５を固定シートＰ２の枡目に合わせて縫付け部Ｐ３にミシンで縫付けてある。図１３の足首第１趾ベルト固定部材Ｋ３は、足首第１趾ベルトＢ６を足首第１趾３角カンＰ５に通し環状にして、固定シートＰ２の枡目に合わせて縫付け部Ｐ３にミシンで縫付けてある。
【００２５】
図１４の足首第５趾ベルト固定部材Ｋ４は、マジックテープＰ１が縫付けられた足首後ベルトＢ８と、足首前ベルトＢ９が備えられたベルト固定部材である。足首第５趾ベルトＢ７を足首第５趾３角カンＰ６に通し環状にして、固定シートＰ２の枡目に合わせて縫付け部Ｐ３にミシンで縫付けてある。足首第５趾３角カンＰ６に足首後ベルトＢ８と足首前ベルトＢ９が備えられている。図１５の第１趾矯正ベルト固定部材Ｋ５は、第１趾を矯正するためのベルト固定部材である。マジックテープＰ１が縫付けられた第１趾内ベルトＢ１１と第１趾外ベルトＢ１０を、固定シートＰ２の枡目に合わせて縫付け部Ｐ３にミシンで縫付けてある。
【００２６】
次に図１６〜図１８を参照し、図１のベルト付き履物Ｈ１の製作方法を説明する。先ず図１６のように足採寸型紙Ｓ８の形に合わせて、本底シートＰ７をカッターで裁断し、図１７の本底Ｐ９のような形状にする。そしてベルト固定部材を貼付ける位置である、固定シート貼付け位置印Ｐ８を印付けする。次に本底Ｐ９と同様に、図１８の中敷きＰ１１とクッション材Ｐ１２も外周を裁断し、第１趾と第２趾の指股部から上面に引き出されるベルトである、第１趾内ベルトＢ１１を通すための貫通孔である第１趾矯正ベルト貫通孔Ｐ１０をあける。
【００２７】
図１７の本底Ｐ９に記入された、固定シート貼付け位置印Ｐ８に合わせて、各種ベルト固定部材Ｋ１〜Ｋ５の裏面を、本底Ｐ９の上面にベルトが縁から外側へ飛び出すようにして貼付け、その上面にクッション材Ｐ１２と中敷きＰ１１を、図１８のように積層して貼付けると図１のベルト付き履物Ｈ１のようになる。
【実施例２】
【００２８】
本考案のベルト付き履物の実施例２について図１９を参照し説明する。実施例１のベルト付き履物は、足首をベルトで固定することで足と履物がしっかりと固定され、こうすることで歩行がしやすくなるのだが、履物を脱ぎ履きする時に足首を固定するマジックテープの付け外しに手間がかかる。用途により脱ぎ履きが容易にできる履物が必要な場合、ベルト付き履物Ｈ２のように、左右一対のベルトが足の甲の前後方向に所定距離だけ離れて配置された、長さ調整可能な締付けベルトである、甲前ベルトＢ１と甲後ベルトＢ１２の２本のベルトにすることで、付け外しの手間が改善される。実施例２のベルト付き履物Ｈ２も、ベルト固定部材を使うことで、足に合わせて製作することができ、履き心地はマジックテープＰ１により調整できる。
【実施例３】
【００２９】
本考案のベルト付き履物の実施例３について、図２０を参照し説明する。実施例１及び実施例２では、ベルトの締付け加減をマジックテープで調整する履物を説明したが、マジックテープは付け外しを繰返すと、接着強度が弱まるという欠点がある。図２０のベルト付き履物Ｈ３のように、左右一対のベルトが足の甲の前後方向に所定距離だけ離れて配置された、長さ調整可能な締付けベルトである、甲前ベルトＢ１と甲後ベルトＢ１２をバックルＰ１３で長さを調整することで、接着強度の問題を改善し、外れにくくすることができる。またバックルを使うことでデザインのアクセントにもなる。
【実施例４】
【００３０】
本考案のベルト付き履物の実施例４について、図２１〜図２３を参照し説明する。図２３のベルト付き履物Ｈ４の特徴は、甲を押さえる手縫いベルトＢ１３が、手縫いベルト固定部材Ｋ６に設けられた、手縫い孔Ｐ１４に手縫いにより取付けられているので、付け外しができることである。先ず図２１を参照し、手縫いベルト固定部材Ｋ６の構造と製作方法を説明する。孔あけ部材Ｐ１５の一方端は、固定シートＰ２の枡目に合わせて縫付け部Ｐ３にミシンで縫付けられており、反対側の縁から飛び出す他方端の部分には、手縫いするための孔である、手縫い孔Ｐ１４が設けられている。
【００３１】
次に図２２のように本底Ｐ９の上面に、手縫いベルト固定部材Ｋ６を手縫い孔Ｐ１４の部分が、縁から外側に飛び出すように貼付けた後、図１８と同じようにクッション材Ｐ１２と中敷きＰ１１を積層して貼付ける。その後、図２３のように手縫い孔Ｐ１４に、予め甲の幅を採寸して製作した、手縫いベルトＢ１３を手縫いで縫付けると完成する。
【実施例５】
【００３２】
実施例１〜実施例４では図１８のように、本底Ｐ９の上面にベルト固定部材とクッション材Ｐ１２と中敷きＰ１１を積層して貼付ける構造の説明をしたが、図２４のクッション機能付き本底Ｐ１６のように、本底が柔らかくてクッション性がある部材を使うこともできる。クッション機能付き本底Ｐ１６の上面に、各種ベルト固定部材Ｋ１〜Ｋ５を、ベルト部分が縁から外側に飛び出すように貼付け、その上面にクッション材を使わず、中敷きＰ１１を積層して貼付けることで履物が完成する。
【００３３】
実施例１〜実施例４の構造で製作するメリットは、各種ベルト固定部材Ｋ１〜Ｋ６の上面にクッション材を貼付けることで、各種ベルト固定部材により生じる凸凹を、クッション材が吸収するので、足裏に各種ベルト固定部材の凸凹があたらなくなる。デメリットは貼付ける部材が実施例５より多くなることである。次に実施例５の構造で製作するメリットを説明する。歩行すると足裏の骨が出ていて地面と接する部分である、母指球と小指球と踵が痛くなりやすい。痛くならない様にクッション材を使うのだが、クッション材単体では適したものがない場合は、クッション機能がある本底を使うことで解決できる。この方法のデメリットは各種ベルト固定部材Ｋ１〜Ｋ６の凸凹を中敷きが吸収できない場合、足裏に凸凹を感じてしまう。
【００３４】
ここまで実施例１〜実施例５は、外反母趾矯正用の履物として説明したが、外反母趾矯正用以外の履物として甲高、甲低、幅広、幅狭、左右の足長差などにより、既成靴が足に合わないという方の足を採寸し、足に合わせて履物を製作することができる。
またベルト固定部材の貼付け位置は、外反母趾を矯正するのに適した位置に貼付けていたが、製作する履物のデザインや構造に合わせて、ベルト固定部材の貼付け位置を任意に変えることもできる。また甲部分のデザインは、例えば２本のベルトをクロスに重ねるようなデザインや、ベルトではなく１枚で甲を覆うようなデザインにする等のように、足の形状に問題がない方に向けて、おしゃれな履物として製作することもできる。デザインによっては、ベルト固定部材は必ずしも４個又は５箇所でなくてもよい。
【符号の説明】
【００３５】
Ｂ１    甲前ベルト（前側ベルト）
Ｂ２    足首ベルト（後側ベルト）
Ｂ３    第１趾矯正ベルト
Ｂ４    甲前第１趾ベルト
Ｂ５    甲前第５趾ベルト
Ｂ６    足首第１趾ベルト
Ｂ７    足首第５趾ベルト
Ｂ８    足首後ベルト
Ｂ９    足首前ベルト
Ｂ１０  第１趾外ベルト
Ｂ１１  第１趾内ベルト
Ｂ１２  甲後ベルト
Ｂ１３  手縫いベルト
Ｇ１    第１趾付け根骨
Ｇ２    第５趾付け根骨
Ｇ３    第１趾引っ張り方向
Ｇ４    ＭＴＰ関節
Ｈ１    ベルト付き履物
Ｈ２    ベルト付き履物
Ｈ３    ベルト付き履物
Ｈ４    ベルト付き履物
Ｋ１    甲前第１趾ベルト固定部材
Ｋ２    甲前第５趾ベルト固定部材
Ｋ３    足首第１趾ベルト固定部材
Ｋ４    足首第５趾ベルト固定部材
Ｋ５    第１趾矯正ベルト固定部材
Ｋ６    手縫いベルト固定部材
Ｐ１    マジックテープ
Ｐ２    固定シート
Ｐ３    縫付け部
Ｐ４    角カン
Ｐ５    足首第１趾３角カン
Ｐ６    足首第５趾３角カン
Ｐ７    本底シート
Ｐ８    固定シート貼付け位置印
Ｐ９    本底
Ｐ１０  第１趾矯正ベルト貫通孔
Ｐ１１  中敷き（積層される部材）
Ｐ１２  クッション材（積層される部材）
Ｐ１３  バックル
Ｐ１４  手縫い孔
Ｐ１５  孔あけ部材
Ｐ１６  クッション機能付き本底
Ｐ１７  底材
Ｓ１    紙
Ｓ２    足の外周線
Ｓ３    踝
Ｓ４    足首ベルト位置印
Ｓ５    第１趾と第２趾の指股部
Ｓ６    ベルト固定部材貼付け位置印
Ｓ７    型紙余白部
Ｓ８    足採寸型紙
【図１】
0003223237.tif 000003
【図２】
0003223237.tif 000004
【図３】
0003223237.tif 000005
【図４】
0003223237.tif 000006
【図５】
0003223237.tif 000007
【図６】
0003223237.tif 000008
【図７】
0003223237.tif 000009
【図８】
0003223237.tif 000010
【図９】
0003223237.tif 000011
【図１０】
0003223237.tif 000012
【図１１】
0003223237.tif 000013
【図１２】
0003223237.tif 000014
【図１３】
0003223237.tif 000015
【図１４】
0003223237.tif 000016
【図１５】
0003223237.tif 000017
【図１６】
0003223237.tif 000018
【図１７】
0003223237.tif 000019
【図１８】
0003223237.tif 000020
【図１９】
0003223237.tif 000021
【図２０】
0003223237.tif 000022
【図２１】
0003223237.tif 000023
【図２２】
0003223237.tif 000024
【図２３】
0003223237.tif 000025
【図２４】
0003223237.tif 000026
【図２５】
0003223237.tif 000027
【図２６】
0003223237.tif 000028